(57)【要約】【課題】番組予約コード単体では、ユーザは、どのような番組かが理解できないので、番組予約コードのみでは上記リモコン装置を操作して、番組予約できない、という課題があった。【解決手段】電子機器であって複数のパターンと、前記複数のパターンに対応した複数の設定情報を格納する情報格納部と、被写体を撮像して画像を生成する撮像部と、前記画像からパターンを抽出する情報抽出部と、前記情報抽出部により抽出された前記パターンが、前記情報格納部に格納されている前記複数のパターンの何れかに一致した場合に、一致したパターンに対応する設定情報を特定する情報特定部と、前記情報特定部により特定された前記設定情報を出力する情報出力部とを有する。【選択図】図１
2015154359.tif 000002
【特許請求の範囲】
【請求項１】
複数のパターンと、前記複数のパターンに対応した複数の設定情報を格納する情報格納部と、
被写体を撮像して画像を生成する撮像部と、
前記画像からパターンを抽出する情報抽出部と、
前記情報抽出部により抽出された前記パターンが、前記情報格納部に格納されている前記複数のパターンの何れかに一致した場合に、一致したパターンに対応する設定情報を特定する情報特定部と、
前記情報特定部により特定された前記設定情報を出力する情報出力部と、
を有する電子機器。
【請求項２】
前記情報抽出部は、前記パターンに対して光学文字認識を行うことによって、前記パターンに対応する文字を抽出し、
前記情報格納部は、複数の文字と、前記複数の文字に対応した前記複数の設定情報を格納する請求項１に記載の電子機器。
【請求項３】
前記設定情報は、撮像条件を示す情報を含み、
前記設定情報に基づいて、前記撮像部の次回の撮像における前記撮像条件を設定する設定部をさらに有する請求項１または２に記載の電子機器。
【請求項４】
前記情報抽出部は、前記画像から複数の前記設定情報と、前記複数の設定情報のそれぞれに対応する撮像条件を設定する順序を示す順序情報とを抽出する請求項３に記載の電子機器。
【請求項５】
前記撮像部は、ユーザからの入力を受け付ける入力部と、
前記画像を記録する記録部と、をさらに有し、
前記情報抽出部は、前記入力部から、前記パターンから設定情報を抽出することが入力された場合に、前記画像から前記パターンを抽出し、前記入力部から前記画像を前記記録部に記録することが選択された場合に、前記画像を前記記録部に記録する請求項１から４の何れか１項に記載の電子機器。
【請求項６】
前記撮像部は、前記画像を記録する記録部をさらに有し、
前記情報抽出部は、前記画像の予め定められた位置に前記画像が前記設定情報を含むことを示すマークが付されていることを認識した場合に、前記情報抽出部は、前記画像から前記設定情報を抽出し、前記画像の予め定められた位置に前記マークが付されていないことを認識した場合に、前記画像を前記記録部に保管する請求項１から４の何れか１項に記載の電子機器。
【請求項７】
複数のパターンと、前記複数のパターンに対応した複数の設定情報が格納される情報格納部を有する電子機器の設定情報を出力する設定情報出力方法であって、
被写体を撮像して画像を生成する撮像ステップと、
前記画像からパターンを抽出する情報抽出ステップと、
前記情報格納部を参照して、情報抽出ステップにて抽出された前記パターンが、前記情報格納部に格納されている前記複数のパターンの何れかに一致した場合に、一致したパターンに対応する設定情報を特定する情報特定ステップと、
前記情報特定ステップにおいて特定された前記設定情報を出力する情報出力ステップと、
を有する設定情報出力方法。
【請求項８】
複数のパターンと、前記複数のパターンに対応した複数の設定情報が格納される情報格納部を有する電子機器の設定情報を出力する設定情報出力プログラムであって、
被写体を撮像して画像を生成する撮像機能と、
前記画像からパターンを抽出する情報抽出機能と、
前記情報格納部を参照して、情報抽出ステップにて抽出された前記パターンが、前記情報格納部に格納されている前記複数のパターンの何れかに一致した場合に、一致したパターンに対応する設定情報を特定する情報特定機能と、
前記情報特定機能により特定された前記設定情報を出力する情報出力機能と、
を有する設定情報出力プログラム。
【発明の詳細な説明】
【技術分野】
【０００１】
本発明は、電子機器、設定情報出力方法および設定情報出力プログラムに関する。
【背景技術】
【０００２】
通常の静止画撮影モードと、番組予約コードをキャプチャーするマイクロ撮影モードとを切り替えるリモコン装置が知られている（例えば、特許文献１参照）。
特許文献１  特開２００６−２９５６１７
【発明の概要】
【発明が解決しようとする課題】
【０００３】
このような、リモコン装置は、番組予約コードを撮影して、撮影した予約コードを記録再生装置に送信する。しかしながら、番組予約コード単体では、ユーザは、どのような番組かが理解できないので、番組予約コードのみでは上記リモコン装置を操作して、番組予約できない、という課題があった。
【課題を解決するための手段】
【０００４】
本発明の第１の態様においては、複数のパターンと、前記複数のパターンに対応した複数の設定情報を格納する情報格納部と、被写体を撮像して画像を生成する撮像部と、前記画像からパターンを抽出する情報抽出部と、前記情報抽出部により抽出された前記パターンが、前記格納部に格納されている前記複数のパターンの何れかに一致した場合に、一致したパターンに対応する設定情報を特定する情報特定部と、前記情報特定部により特定された前記設定情報を出力する情報出力部を有する電子機器が提供される。
【０００５】
なお、上記の発明の概要は、本発明の特徴の全てを列挙したものではない。また、これらの特徴群のサブコンビネーションもまた、発明となりうる。
【図面の簡単な説明】
【０００６】
【図１】本実施形態に係る撮像装置の斜視図である。
【図２】本実施形態に係る撮像装置のシステム構成図である。
【図３】撮像条件データベースの一例を示す。
【図４】撮像装置１０に撮像される他の被写体の一例を示す。
【図５】撮像条件データベースの他の例を示す。
【図６】撮像装置に撮像される雑誌の一例を示す。
【図７】撮像装置の撮像条件を設定する処理を説明するフローチャートを示す。
【図８】撮像装置に撮像される他の被写体の一例を示す。
【図９】（ａ）撮像装置に撮像される他の被写体の一例を示す。（ｂ）撮像された画像の構図情報の一例を示す。
【図１０】撮像装置の他の撮像条件に設定する処理を説明するフローチャートを示す。
【図１１】撮像装置に撮像される他の被写体の一例を示す。
【図１２】（ａ）（ｂ）（ｃ）それぞれ事前に撮像された風景を被写体とする画像である。
【図１３】（ａ）撮像装置に撮像される絞り形状の一例を示す。（ｂ）撮像装置に撮像される絞り形状の他の例を示す。
【図１４】撮像装置の入力部から入力される絞り形状の一例を示す。
【図１５】撮像装置に撮像される他の被写体の一例を示す。
【図１６】（ａ）他の実施形態に係るリモコン装置の上面斜視図と空調装置を示す。（ｂ）リモコン装置の下面斜視図を示す。
【図１７】リモコン装置のシステム構成図を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る撮像装置の斜視図である。撮像装置１０は、書面２０に記載された文字２２および記号２４を撮像して画像を生成する。撮像装置１０は、光学文字認識を行い、生成した画像に含まれる文字２２を抽出する。撮像装置１０は、抽出した文字２２に対応した設定情報を特定する。撮像装置１０は、特定した設定情報に対応する条件に撮像条件を設定する。なお、撮像装置１０は、電子機器の一例であり、書面２０に記載された文字２２および記号２４はパターンの一例である。
【０００９】
図１に示した例において、書面２０には、どのような撮像条件を示すことがユーザが理解できる文字２２として「Ｆ＝５．６」と「Ｓ＝１／２５０」が記載されており、記号２４として二重四角が記載されている。撮像装置１０は、二重四角が記載されている場合に、同じ書面２０に記載されている文字２２を光学文字認識を行う。撮像装置１０は、光学文字認識を行い、画像に含まれる文字が「Ｆ＝５．６」と「Ｓ＝１／２５０」とであると特定する。
【００１０】
撮像装置１０には、予め、「Ｆ＝５．６」という文字に対応した「絞りを５．６に設定する」という設定情報、および、「Ｓ＝１／２５０」という文字に対応した「シャッタースピードを１／２５０秒に設定する」という設定情報が記録されている。撮像装置１０は画像に含まれる文字に対応した「絞りを５．６に設定する」という設定情報、および「シャッタースピードを１／２５０秒に設定する」という設定情報を特定して、撮像装置１０における次回の撮像の撮像条件のレンズ絞りをＦ＝５．６に、シャッタースピードを１／２５０秒に設定する。これにより、次回、ユーザは、設定した撮像条件で被写体を撮像できる。
【００１１】
図２は、撮像装置１０のシステム構成図である。撮像装置１０は、撮像部１２と解析部１４とを含んで構成される。
【００１２】
まず、撮像部１２について説明する。撮像部１２において、レンズユニット３０は、ズームレンズ３２、フォーカスレンズ３４を含んで構成される。被写体像は、光軸３６に沿ってレンズユニット３０に入射し、撮像素子３８の結像面に結像する。撮像素子３８は、被写体像である光学像を光電変換する素子である。撮像素子３８として、ＣＣＤセンサ、ＣＭＯＳセンサを用いることができる。撮像素子３８で光電変換された被写体像は、Ａ／Ｄ変換器４０でアナログ信号からデジタル信号に変換される。撮像素子３８の電荷読み出し制御およびＡ／Ｄ変換器４０の変換制御は、メモリ制御部４２の同期制御を受けたタイミング発生部４４が供給するクロック信号により同期が計られる。
【００１３】
デジタル信号に変換された被写体像は、画像データとして順次処理される。画像データは、メモリ制御部４２の制御に従い、一旦内部メモリ４６に記憶される。内部メモリ４６は、高速で読み書きのできるランダムアクセスメモリである。内部メモリ４６として、ＤＲＡＭ、ＳＲＡＭを用いることができる。内部メモリ４６は、画像処理部４８が行う画像処理、圧縮処理において、ワークメモリとしての役割を担う。内部メモリ４６は、当該役割を担うに相当する十分なメモリ容量を備える。
【００１４】
画像処理部４８は、設定されている撮影モード、ユーザからの指示に則して、画像データを所定の画像フォーマットに従った画像データに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、所定の画素数に縮小されて生成された連続する静止画としてのフレーム画像に対して、フレーム内符号化、フレーム間符号化を施して圧縮処理を行う。そして、変換された画像データは再び内部メモリ４６に格納される。
【００１５】
画像処理部４８によって処理された静止画像データ、動画像データは、メモリ制御部４２の制御により、記録媒体ＩＦ５０を介して、内部メモリ４６から記録部５２に記録される。記録部５２は、フラッシュメモリ等により構成される。なお、記録部５２は、撮像装置１０に対して着脱可能であってもよい。また、静止画像データ、動画像データは、表示制御部５４の制御に従って、タイミング発生部４４からのクロック信号に同期するＤ／Ａ変換器５６でアナログ信号に変換されて、表示部５８に表示される。逐次画像データを表示部５８に表示すれば、電子ファインダ機能を実現することができる。
【００１６】
撮像装置１０は、上記の画像処理における各々の要素も含めて、システム制御部６０により直接的または間接的に制御される。システム制御部６０は、システムメモリ６２を備える。システムメモリ６２は、電気的に消去・記録可能な不揮発性メモリであり、例えばＥＥＰＲＯＭ（登録商標）等により構成される。システムメモリ６２は、撮像装置１０の動作時に必要な定数、変数、プログラム等を、撮像装置１０の非動作時にも失われないように記録している。システム制御部６０は、定数、変数、プログラム等を適宜内部メモリ４６に展開して、撮像装置１０の制御に利用する。
【００１７】
ズームレンズ３２、フォーカスレンズ３４は、システム制御部６０の統括制御のもとそれぞれ、ズーム制御部６４、フォーカス制御部６６によって制御される。ズーム制御部６４は、ユーザの指示に応じてズームレンズ３２を駆動して、被写体像の画角を設定する。フォーカス制御部６６は、連続して取得される画像データを用いたコントラストＡＦの情報に応じて、特定の領域の被写体像が撮像素子３８の受光面上で合焦するように、フォーカスレンズ３４を駆動する。
【００１８】
撮像装置１０は、ユーザからの操作を受け付ける入力部６８を複数備えている。システム制御部６０は、これら入力部６８から入力されたことを検知し、入力に応じた動作を実行する。例えば、入力部６８として、ズームレバー、メニューボタンを備える。ズームレバーは、ズームレンズのズームアップおよびズームアウトの操作をユーザから受け付ける。ズーム制御部６４は、受け付けた操作に応じて、ズームレンズを広角（Ｗ）側または望遠（Ｔ）側にズームする。メニューボタンは、撮像装置１０に関する各種設定に用いられる。
【００１９】
撮像装置１０は、さらに入力部６８の類としてレリーズスイッチを備える。レリーズスイッチは、押下げ方向に２段階に検知できる押しボタンで構成されている。システム制御部６０は、１段階目の押下げであるＳＷ１の検知により撮影準備動作であるＡＦ、ＡＥ、顔検出等を実行し、２段階目の押下げであるＳＷ２の検知により撮像素子３８による被写体像の取得動作を実行する。
【００２０】
次に、解析部１４について説明する。解析部１４は、情報抽出部７０と、情報特定部７２と、情報格納部７４と、情報出力部７６と、設定部７８とを含んで構成される。入力部６８から、文字を抽出することが入力された場合に、画像データは、内部メモリ４６からシステム制御部６０を介して情報抽出部７０に送られる。情報抽出部７０は、当該画像データに含まれる文字を、光学文字認識における文字認識を行うことによって抽出する。
【００２１】
情報格納部７４には、複数の文字と、複数の文字に対応した複数の撮像条件を示す情報を格納する。情報特定部７２は、情報抽出部７０により抽出された文字が、情報格納部７４に格納されている複数の文字の何れかに一致した場合に、一致した文字に対応する、撮像条件を示す情報を特定する。情報出力部７６は、情報特定部７２により特定された撮像条件を設定する情報を設定部７８に出力する。設定部７８は、撮像条件を示す情報に基づいて、次回の撮像における撮像条件を設定する。具体的には、設定部７８は、システム制御部６０に撮像条件を示す情報を出力して、システム制御部６０に次回の撮像における撮像条件を設定させる。なお、撮像条件を示す情報は、設定情報の一例である。また、解析部１４を構成する各要素は、システム制御部６０に含まれて構成されてもよい。
【００２２】
解析部１４の情報抽出部７０、情報特定部７２、情報出力部７６および設定部７８の少なくとも一部の機能は、システム制御部６０のシステムメモリ６２に格納されたプログラムを読み出すことにより実行されてもよい。また、当該プログラムは、媒体から読み込まれて、システムメモリ６２に格納されてもよい。
【００２３】
図３は、撮像条件データベースの一例を示す。情報格納部７４には、図３に示す撮像条件データベース８０が予め格納されている。撮像条件データベース８０には、複数の文字を格納する文字欄と、当該複数の文字に対応した設定情報が格納される設定情報欄が設けられている。そして、撮像条件データベース８０の文字欄には、「Ｆ」、「※Ｓ※」、「ＩＳＯ」が格納されている。なお、文字欄に格納されている「Ｆ」、「※Ｓ※」、「ＩＳＯ」のそれぞれは、パターンの一例である。
【００２４】
設定情報欄には、「Ｆ」に対応する設定情報として「絞り値をＦに続く数値に設定する」が格納されている。また、「※Ｓ※」に対応する設定情報として、「シャッタースピードをＳに続く数値に設定する」が格納され、「ＩＳＯ」に対応する設定情報として、「ＩＳＯ感度をＩＳＯに続く数値に設定する」が格納されている。なお、撮像条件データベース８０の文字欄には、他の撮像条件を示す文字が格納されてもよく、当該文字に対応した撮像条件を設定する情報が設定情報欄に格納されてもよい。
【００２５】
図４は、撮像装置１０に撮像される他の被写体の一例を示す。図４に示す書面２０には、ユーザがどのような画像処理か理解できる文字２２として「コントラスト」と「ウォームトーン」が記載されており、記号２４として二重四角が記載されている。さらに、書面２０には、文字２２のそれぞれを囲む二つの四角枠２６と、二つの四角枠２６をつなぐ矢印２８が記載され、全体としてフローチャートを構成する。
【００２６】
図５は、撮像条件データベースの他の例を示す。図５に示す撮像条件データベース８２も、情報格納部７４に予め格納される。図５に示す撮像条件データベース８２には、フィルタ名を示す文字を格納するフィルタ名欄と、フィルタ名に対応した設定情報を格納する設定情報欄が設けられている。フィルタ名欄には、撮像装置１０における撮像後の画像全体の色調を演出する処理としてのフィルタ名を示す文字である「コントラスト」、「スカイライト」、「ウォームトーン」が格納されている。なお、フィルタ名を示す「コントラスト」、「スカイライト」、「ウォームトーン」のそれぞれもパターンの一例である。
【００２７】
設定情報欄には、「コントラスト」に対応する設定情報として、「コントラスト値を「＋１」に設定する」が格納されている。また、「スカイライト」に対応する設定情報として「画像の青みを抑える」が格納され、「ウォームトーン」に対応する設定情報として「画像を暖色にする」が格納されている。なお、撮像条件データベース８２のフィルタ名欄には、他のフィルタ名を示す文字が格納されてもよく、当該文字に対応した設定情報が設定情報欄に格納されてもよい。
【００２８】
このように、設定情報は、被写体を撮像する撮像条件を設定する情報だけでなく、撮像して生成した画像全体の色調等を演出する画像処理条件を設定する情報も含む。そして、システム制御部６０は、設定情報を取得すると、当該設定情報に基づいて撮像条件、または画像処理条件を設定する。なお、図５に示した撮像条件データベース８２も他のフィルタを示す文字が格納されてもよく、当該文字に対応した画像処理条件を設定する情報が、設定情報欄に格納されてもよい。
【００２９】
さらに、情報格納部７４は、四角枠２６および矢印２８に対応して、四角枠２６で囲まれる設定情報を実行する順番を示す情報が格納される。例えば、二つの四角枠２６が矢印２８でつながれている場合においては、矢印２８が指す元の四角枠２６に囲まれた設定情報に対応した画像処理条件を先に実行して、矢印２８が指す先の四角枠２６に囲まれた設定情報に対応した画像処理条件を後に実行する。すなわち、図４に示した例においては、生成された画像に対し、コントラスト値を「＋１」とする画像処理を先に行い、その後に画像を暖色に変更する、という画像処理を行う。なお、矢印２８は、撮像条件の順序を示す順序情報の一例である。
【００３０】
なお、図４に示した例においては、四角枠２６と矢印２８にて示されるフローチャートが記載された書面２０の例を示したが、条件分岐を示すひし形枠を含むフローチャートが記載されてもよい。条件分岐として、人物の顔検知を行い、顔が検知された場合には「コントラスト」のフィルタを実行し、顔が検知されない場合には「セピア」のフィルタを実行する、といった条件分岐を行い、いずれの画像処理を行うかを判断させてもよい。これにより、被写体により実行するフィルタを自動で変えることができ、画像に対して効果的な画像処理が実行できる。
【００３１】
図６は、撮像装置１０に撮像される雑誌の一例を示す。図６に示す雑誌２１には、写真２５と、記事２９が記載されている。また、写真２５の右側には、四角枠２７が記載されている。そして、四角枠２７には、写真２５の撮像条件を示す文字「Ｆ＝２．８」、「Ｓ＝１／３０」、「ＩＳＯ＝４００」が記載されている。
【００３２】
図６に示した例において、ユーザは、撮像装置１０を用いて、撮像領域２３を撮像して画像を生成する。撮像装置１０は、写真２５の位置を基準にして、右側に四角枠２７が記載されていることを条件として、四角枠２７の内側を光学文字認識する。撮像装置１０は、光学文字認識を行い、画像に含まれる文字が「Ｆ＝２．８」、「Ｓ＝１／３０」、「ＩＳＯ＝４００」であると特定する。
【００３３】
撮像装置１０には、予め、「Ｆ＝２．８」という文字に対応した「絞りを２．８に設定する」という設定情報が格納されている。撮像装置１０には、さらに、「Ｓ＝１／３０」という文字に対応した「シャッタースピードを１／３０秒に設定する」という設定情報が格納され、「ＩＳＯ＝４００」という文字に対応した「ＩＳＯ感度を４００に設定する」という設定情報が格納されている。撮像装置１０は雑誌２１に含まれる四角枠２７の内側の文字に対応したそれぞれの設定情報を特定して、次回の撮像の撮像条件を当該設定情報に対応した撮像条件に設定する。これにより、次回、ユーザは、雑誌２１に記載されている写真２５と同じ撮像条件に設定して被写体を撮像できる。
【００３４】
図７は、撮像装置１０の撮像条件を設定する処理を説明するフローチャートを示す。図７に示したフローチャートは、ユーザが、入力部６８であるレリーズスイッチの操作を行ない、被写体である書面を撮像する撮像指示を入力した場合に開始する。撮像部１２は、被写体である書面２０を撮像して（Ｓ１０１）、画像データを作成する（Ｓ１０２）。システム制御部６０は、入力部６８から生成した画像データを解析する入力が有るか否かを判断する（Ｓ１０３）。
【００３５】
例えば、ユーザが入力部６８としてのメニューボタンから、撮像した画像から撮像条件を設定する設定情報を抽出することが入力された場合に、システム制御部６０は、生成した画像データを解析する入力が有ると判断し（Ｓ１０３：Ｙｅｓ）、画像データを情報抽出部７０に出力して、処理をステップＳ１０８へ進める。一方、メニューボタンから入力がない場合に、システム制御部６０は、生成した画像データを解析する入力が無いと判断し、画像データを情報抽出部７０に出力して処理をステップＳ１０４へ進める。
【００３６】
情報抽出部７０は、画像データに、二重四角が有るか否かを判断する（Ｓ１０４）。ここで、二重四角は、画像に対して予め定められた位置に付され、生成された画像データが設定情報を含むことを示すマークの一例である。なお、図１および図４に示した例において、予め定められた位置は、画像の左上である。
【００３７】
図１および図４に示した例において、情報抽出部７０は、パターン認識により、画像データに二重四角が認識できた場合に、二重四角が有ると判断し（Ｓ１０４：Ｙｅｓ）、二重四角の右下の文字が記録されている領域を特定する（Ｓ１０５）。一方、情報抽出部７０は、二重四角マークが認識できなかった場合に（Ｓ１０４：Ｎｏ）、画像領域の右側に四角が有るか否かを判断する（Ｓ１０６）。情報抽出部７０は、中間色の有無によって、画像領域を特定し、当該画像領域の右側に、パターン認識によって四角が認識できた場合に（Ｓ１０６：Ｙｅｓ）、当該四角の内部の領域を特定する（Ｓ１０７）。一方、四角が認識できなかった場合に（Ｓ１０７：Ｎｏ）、情報抽出部７０は、ステップＳ１０１における撮像が本撮像であると判断し（Ｓ１１４）、撮像により生成された画像データは、記録媒体ＩＦ５０を介して、記録部５２に記録される。
【００３８】
情報抽出部７０は、画像データを光学文字認識して、画像に含まれる文字を抽出する（Ｓ１０８）。情報抽出部７０は、文字が抽出できたか否かを判断する（Ｓ１０９）。情報抽出部７０は、文字が抽出できた場合に（Ｓ１０９：Ｙｅｓ）、抽出した文字を情報特定部７２に出力する。一方、文字が抽出できない場合に（Ｓ１０９：Ｎｏ）、ステップＳ１０１における撮像が本撮像であると判断する。この場合に撮像により生成された画像データは、記録媒体ＩＦ５０を介して、記録部５２に記録される（Ｓ１１４）。
【００３９】
情報特定部７２は、情報格納部７４を参照して、取得した文字に対応する設定情報を特定できたかどうかを判断する（Ｓ１１０）。例えば、図１および図３に示した例においては、文字「Ｆ＝５．６」に一致する文字として「Ｆ」を特定する。このように、一致は、完全一致だけでなく、部分一致を含む。情報特定部７２は、設定情報として「絞り値を「Ｆ」に続く数値に設定する」を特定する。
【００４０】
情報特定部７２は、文字「Ｓ＝１／２５０」に一致する文字として「※Ｓ※」を特定する。この場合において、「※Ｓ※」と「ＩＳＯ」とを区別するために、例えば、「※にはＩまたはＯ含まないこと」が一致条件として「※Ｓ※」に付随して情報格納部７４に格納されている。これにより、情報特定部７２は、文字「Ｓ＝１／２５０」に一致する文字として「※Ｓ※」を特定でき、当該文字に対応する設定情報として「シャッタースピードを「Ｓ」に続く数値に設定する」を特定する。
【００４１】
このように、情報特定部７２は、文字に対応する設定情報を特定できた場合に（Ｓ１１０：Ｙｅｓ）、特定した設定情報を情報格納部７４から抽出する（Ｓ１１１）。一方、情報特定部７２は、抽出した文字に対応する設定情報が特定できない場合に（Ｓ１１０：Ｎｏ）、ステップＳ１０１における撮像が本撮像であると判断する。この場合に撮像により生成された画像データは、記録媒体ＩＦ５０を介して、記録部５２に記録される（Ｓ１１４）。
【００４２】
情報特定部７２により抽出された設定情報は、設定部７８に出力される。設定部７８は、設定情報に基づいて、次回の撮像における撮像条件を設定し、システム制御部６０に当該撮像条件を出力して、撮像条件を設定する（Ｓ１１２）。情報抽出部７０は、システム制御部６０から画像データを消去して（Ｓ１１３）、撮像装置１０の撮像条件を設定する処理は終了する。
【００４３】
以上説明したように、本実施形態に係る撮像装置１０は、撮像条件または画像処理として意味のわかる文字を撮像することによって、次回の撮像の撮像条件を撮像した文字に対応する撮像条件に設定できる。これにより、ユーザは、撮像条件を示す書面を撮像して、希望する撮像条件に容易に設定できる。
【００４４】
図８は、撮像装置１０に撮像される他の被写体の一例を示す。図８を用いて、他のパターンとして、マークシートを含む例について説明する。図８に示す書面９０には、記号２４とともに、撮像条件を示す文字９２として「Ｆ＝１．４」から「Ｆ＝３２」が記載されている。そして、それぞれの文字９２の下側に、記号９４として丸が記載されている。そして、記号９４のうちの一つが黒塗りされ、他の記号９４は白塗りとなっている。このように、書面９０は、複数の文字９２と複数の記号９４とが記載され、全体としてマークシートを構成する。
【００４５】
図８に示した例において、撮像装置１０は、黒塗りの丸の上側に記載されている文字を光学文字認識により抽出する。撮像装置１０は、図７に示したフローチャートにおけるステップＳ１０８以降を実行し、撮像装置１０の次回の撮像の撮像条件を設定する。このように、撮像装置１０は、書面９０として撮像条件を示す複数の文字９２と、当該複数の文字のうち、選択する文字を示す記号９４から構成されるマークシートを用いて、撮像装置１０の次回の撮像条件を設定してもよい。なお、本実施形態において、テンプレートの一例としてマークシートを用いた例を示したが、列記された撮像条件を示す文字に〇をつけることによって、当該文字を光学文字認識することを示してもよい。
【００４６】
図９（ａ）は、撮像装置に撮像される他の被写体の一例を示す。図９（ｂ）は、撮像された画像の構図情報の一例を示す。図９（ａ）（ｂ）を用いて、他のパターンとして画像を含み、設定情報として、当該画像から構図情報を抽出する例を説明する。図９（ａ）に示す画像１００には、人物１０２と、山１０４が含まれる。
【００４７】
この場合において、撮像装置１０は、画像１００を撮像して画像データを生成することによって、設定情報として、画像１００から構図情報を抽出する。具体的には、図９（ｂ）に示すように、画像の右側の領域１０６には人物１０２が配され、画像の左側の領域１０８には緑の山が配されるという構図情報を抽出する。そして、撮像装置１０は、次回の撮像において、当該構図情報と同じ構図を示す被写体が認識されると、当該被写体を撮像する、という設定情報を抽出する。そして撮像装置１０は、当該設定情報を撮像条件として設定する。したがって、撮像装置１０は、次回の撮像において、画像１００と同じ構図の被写体を認識した場合に、当該被写体を、レリーズスイッチを操作することなく、撮像する。これにより、被写体の構図を予め設定して、当該構図の被写体を、シャッタチャンスを逃すことなく撮像できる。
【００４８】
図１０は、撮像装置の他の撮像条件に設定する処理を説明するフローチャートを示す。図１０を用いて、次回の撮像において撮像した画像から抽出した構図情報と同じ構図を示す被写体が認識されると当該被写体を撮像する、という撮像条件に設定する処理について説明する。
【００４９】
図１０に示したフローチャートは、ユーザが、メニューボタンから、画像１００から構図情報を抽出することを入力し、さらに、レリーズスイッチの操作を行なって、画像１００を撮像する撮像指示を入力した場合に開始する。撮像部１２は、被写体である画像１００を撮像して（Ｓ２０１）、画像データを作成する（Ｓ２０２）。
【００５０】
システム制御部６０は、生成した画像データを情報抽出部７０に出力する。情報抽出部７０は、パターンマッチングを行い（Ｓ２０３）、画像データにおける人物１０２と山１０４の位置を特定する。更に情報抽出部７０は、特定した人物１０２を囲む領域１０６と、山１０４を囲む領域１０８とを特定することによって、構図情報を作製する（Ｓ２０４）。
【００５１】
図１０に示したフローチャートにおいて、構図情報に対応した設定情報は、例えば、被写体において構図情報と同じ構図が検出されたら撮像する、である。そして、当該設定情報は、情報格納部７４に予め格納されている。
【００５２】
情報抽出部７０は、構図情報を情報特定部７２に出力する。情報特定部７２は、構図情報を取得すると、構図情報に対応した設定情報を情報格納部７４から抽出する（Ｓ２０５）。情報特定部７２は、設定情報を設定部７８に出力する。設定部７８は、システム制御部６０に設定情報を出力して、撮像条件を設定させる（Ｓ２０６）。
【００５３】
この状態において、システム制御部６０は、撮像素子３８から送られてくる画像データを逐次パターン認識を行い、構図情報と同じ構図を有する被写体が検出されたか否かを判断する（Ｓ２０７）。システム制御部６０は、例えば、山と人物を含む被写体において、人物が領域１０６に含まれ、山が領域１０８に含まれた場合に、構図情報と同じ構図を有する被写体が検出できたと判断する（Ｓ２０７：Ｙｅｓ）。一方、領域１０６に人物を含まない場合、または、領域１０８に山を含まない場合には、構図情報と同じ構図を有する被写体が検出できないと判断して（Ｓ２０７：Ｎｏ）、処理をステップＳ２０８へ進める。
【００５４】
システム制御部６０は、構図の検出を開始してから予め定められた時間が経過したか否かを判断する（Ｓ２０８）。システム制御部６０は、構図の検出を開始してから予め定められた時間が経過していない場合（Ｓ２０８：Ｎｏ）、処理をステップＳ２０７に戻して、構図情報と同じ構図を有する被写体が検出できるまで待機する。一方、構図の検出を開始していから予め定められた時間が経過した場合（Ｓ２０８：Ｙｅｓ）、ステップＳ２０９、ステップＳ２１０の処理をスキップして、処理をステップＳ２１１へ進める。なお、図１０に示した例において、予め定められた時間は６０秒である。
【００５５】
システム制御部６０は、構図情報と同じ構図を含む被写体を検出した場合に、当該被写体の本撮像を行って、画像データを生成する（Ｓ１０９）。そして、生成した画像データを記録部５２に記録する（Ｓ２１０）。
【００５６】
システム制御部６０は、当該撮像条件で撮像を継続するか否かを判断する（Ｓ２１１）。当該撮像条件で撮像を継続する旨が、入力部６８から入力された場合には、（Ｓ２１１：Ｙｅｓ）、処理をステップＳ２０７に戻して、再び、構図情報と同じ構図を含む被写体を検出するまで待機する。一方、当該撮像条件で撮像を継続しない旨がメニューボタンから入力された場合には、撮像条件をリセットして（Ｓ２１２）、撮像装置１０を他の撮像条件に設定する処理を説明するフローチャートは終了する。
【００５７】
図１１は、撮像装置に撮像される他の被写体の一例を示す。図１１は、果物の盛り合わせ１１２を示す画像１１０が表示されている。撮像装置１０は、画像１１０を撮像して、撮像装置１０の撮像条件を設定してもよい。例えば、果物のように通常の画像に対して、彩度が大きい画像が得られる被写体を撮像すると、撮像装置１０は、「彩度が大きい」という特徴を抽出し、次回、被写体を撮像して生成される画像にも反映させるべく、彩度が大きくなるような撮像条件を設定する。
【００５８】
具体的には、情報抽出部７０は、果物を撮像した画像データから通常の画像に対して大きく異なる特徴を抽出する。予め、抽出する特徴がリスト化されており、図１１に示した例において、情報抽出部７０は、通常の画像と大きく異なる「彩度が大きい」という特徴を抽出する。情報抽出部７０は、抽出した特徴を情報特定部７２に出力する。情報格納部７４には、複数の特徴に対応付けて、当該特徴を画像に反映させる撮像条件を示す設定情報が格納されている。情報特定部７２は、取得した特徴に対応する設定情報を特定する。図１１に示した例において、情報特定部７２には、「彩度が大きい」という特徴に対応付けて「画像の彩度を大きくする」という撮像条件が格納される。
【００５９】
情報特定部７２は、情報格納部７４から「画像の彩度を大きくする」という設定情報を抽出する。情報特定部７２は、情報出力部７６を介して設定部７８に設定情報を出力する。設定部７８は、システム制御部６０に、「画像の彩度を大きくする」という設定情報を出力する。システム制御部６０は、撮像装置１０の次回の撮像における撮像条件を、彩度の低い被写体であっても、果物のように彩度の大きい画像が取得できるように、「画像の彩度を大きくする」という撮像条件を、次回の撮像の撮像条件に設定する。
【００６０】
図１１を用いて、彩度を大きくする例を示したがこれに限られず、例えば、画像を撮像して、当該画像のボケの位置、ホワイトバランス、コントラスト等をパターン認識により特定して、撮像装置１０における次回の撮像条件を、特定したボケの位置にボケが発生するような撮像条件に設定するとしてもよく、特定したホワイトバランスの撮像条件に設定するとしてもよく、または、特定したコントラスト値に対応した画像処理を実行するとしてもよい。
【００６１】
図１２は、撮像装置の撮像条件を設定する画像の一例を示す。図１２（ａ）、（ｂ）、（ｃ）は、それぞれ事前に撮像された風景を被写体とする画像である。図１２を用いて過去の画像から撮像条件を抽出する例について説明する。ユーザが過去の画像から撮像条件を抽出することを選択した場合に、まず、ユーザは、過去に撮像した画像を複数選択する。ユーザが、図１２に示した画像（ａ）（ｂ）（ｃ）を選択した場合において、情報抽出部７０は、選択された画像（ａ）（ｂ）（ｃ）の画像データを読み出して、これら複数の画像に共通する特徴を抽出する。複数の画像に共通する特徴は、情報抽出部７０が、読み出した画像データを解析して抽出してもよく、情報抽出部７０が、それぞれの画像のＥｘｉｆ情報から共通する撮像条件を検索して抽出してもよい。情報抽出部７０は、共通する特徴を抽出して、情報特定部７２に出力する。なお、情報特定部７２が設定情報を特定して、当該設定情報に基づいて撮像条件を設定する処理は、上述した処理と同じである。なお、ユーザが過去の画像を複数選択した場合において、情報抽出部７０は、過去に撮像した複数の画像に共通しない特徴を有する画像の撮像条件をＥｘｉｆ情報から抽出して、当該撮像条件を次回の撮像の撮像条件に設定するとしてもよい。
【００６２】
さらに、図１２に示した画像（ａ）（ｂ）、（ｃ）が、ランダムな撮像条件で撮像した複数の画像である場合において、情報抽出部７０は、ユーザが選択した何れかの画像の特徴を抽出するとしてもよい。この場合、情報抽出部７０により抽出された特徴が反映するような撮像条件に設定される。このように、ユーザは、複数の画像を選択することによって、次回の撮像の撮像条件を、選択した画像の特徴を反映した撮像条件に設定できる。
【００６３】
図１３（ａ）は、撮像装置に撮像される絞り形状の一例を示す。図１３（ｂ）は、撮像装置に撮像される絞り形状の他の例を示す。図１３（ａ）に示す書面１２０には、記号２４と、絞り解放形状１２２と、絞り変更形状１２４とが記載されている。また、図１３に示した例において、撮像装置１０は、レンズ絞りに代えて、液晶シャッタを備える。
【００６４】
撮像装置１０は、絞り解放形状１２２と絞り変更形状１２４を撮像すると、情報抽出部７０は、絞り解放形状１２２および絞り変更形状１２４の直径を算出する。具体的には、絞り解放形状１２２または絞り変更形状１２４のそれぞれの円周上の３つ以上の点から、それぞれの直径を抽出して情報特定部７２に出力する。情報格納部７４には、撮像装置１０の絞り解放状態における絞りの直径の値が格納されている。情報特定部７２は、当該直径の値と、情報抽出部７０から出力された直径値から、書面１２０に記載された絞り解放形状１２２の倍率を特定する。
【００６５】
情報特定部７２は、特定した倍率と、絞り変更形状１２４の直径値とを乗じて、変更するレンズ絞り寸法を特定する。情報特定部７２は、情報出力部７６を介して、設定部７８にレンズ絞り寸法を出力する。設定部７８は、レンズ絞り寸法をシステム制御部６０に出力する。システム制御部６０は、液晶シャッタを制御してレンズ絞り寸法に対応した開口を液晶シャッタに形成させる。これにより、書面１２０に記載された絞り変更形状１２４に対応したレンズ絞り形状に調整できる。
【００６６】
図１３（ｂ）に示す書面１３０には、記号２４と、絞り解放形状１３２と、絞り変更形状として星形状１３４が記載されている。撮像装置１０は、絞り解放形状１３２と、星形状１３４とを撮像すると、情報抽出部７０は、絞り解放形状１３２の直径を絞り解放形状１２２と同様の方法にて測定する。情報抽出部７０は、絞り解放形状の直径と、星形状１３４を情報特定部７２に出力する。情報特定部７２は、情報格納部７４に格納されている絞り解放状態における絞りの直径の値から、書面１３０に記載された絞り解放形状１３２の倍率を特定する。
【００６７】
情報特定部７２は、特定した倍率で、星形状１３４を拡大または縮小する。情報特定部７２は、拡大または縮小した星形状に対応した液晶のアドレスを特定する。情報特定部７２は、当該アドレスを示した情報を、情報出力部７６を介して、設定部７８に出力する。設定部７８は、アドレスを示した情報をシステム制御部６０に出力する。システム制御部６０は、液晶シャッタを制御して、拡大または縮小した星形状に対応した開口を液晶シャッタに形成させる。このように、書面１３０に記載された星形状１３４に対応したレンズ絞り形状に調整できる。絞り形状を星形状にすることによって、幻想的な画像を撮像できるので、当該撮像装置１０を用いることで、容易に幻想的な画像を撮像できる。なお、本実施形態において、液晶シャッタを用いる例を示したが、液晶シャッタに代えて、デジタルマイクロミラーデバイス（ＤＭＤ）を用いてもよい。
【００６８】
図１３に示した例において、レンズ絞り形状は、絞り解放形状を記載した書面を撮像することによって、撮像装置１０の絞り解放状態における絞りの直径の値から倍率を特定する例を示したが、これに代えて、倍率は「Ｆ＝」で示される文字を撮像することにより、特定してもよい。例えば、撮像装置１０が「Ｆ＝２．８」と絞り変更形状として星形状を撮像する場合においては、「Ｆ＝２．８」から算出される倍率から、星形状の５つの頂点とを結ぶ円の直径を求め、変更後のレンズ絞り形状を特定するとしてもよい。このように、変更後のレンズ絞り形状を撮像させ、変更後のレンズ絞り形状を、相似形を保ったまま、「Ｆ＝」で示される倍率に変更することによって、変更後のレンズ絞り形状を特定してもよい。
【００６９】
図１４は、撮像装置の入力部から入力される絞り形状の一例を示す。図１４に示した撮像装置１４０には、表示部５８に重畳して、入力部６８としてのタッチパネル１４２が設けられている。ユーザ２００は、タッチパネル１４２から絞り解放形状１４４と、絞り変更形状１４６が入力する。撮像装置１４０は、当該入力を受け付けると、システム制御部６０を介して、情報抽出部７０に出力される。以後の動作は、図１３（ａ）における書面１２０を撮像した場合と同じである。
【００７０】
図１５は、撮像装置に撮像される他の被写体の一例を示す。撮像装置１５０は、撮像して生成した画像データを、ノートＰＣ１６０に送信する。この場合において、撮像装置１５０は、画像データの送信先、および、画像データの送信方法の設定を、送信する機器を撮像することによって行う。
【００７１】
図１５において、撮像装置１５０は、撮像して生成した画像データを、ノートＰＣ１６０に送信する。ノートＰＣ１６０は、ＩＣタグ１６２を有しており、ＩＣタグ１６２は、ノートＰＣ１６０のメールアドレスと、当該メールアドレスに対応付けてノートＰＣ１６０の画像データを撮像装置１５０に出力する。撮像装置１５０は、ＩＣタグ受信機を有しており、ＩＣタグ１６２からノートＰＣ１６０のメールアドレスと、メールアドレスに対応付いたノートＰＣ１６０の画像データを取得する。
【００７２】
一方、スマートフォン１７０もＩＣタグ１７２を有しており、ＩＣタグ１７２は、スマートフォン１７０のメールアドレスと、当該メールアドレスに対応つけたスマートフォンの画像データを撮像装置１５０に出力する。撮像装置１５０は、ＩＣタグ１７２からスマートフォン１７０のメールアドレスと、メールアドレスに対応付いたスマートフォン１７０の画像データを取得する。そして、スマートフォン１７０の画像データは、スマートフォン１７０のメールアドレスに対応付けて情報格納部７４に格納され、ノートＰＣ１６０の画像データは、ノートＰＣ１６０のメールアドレスに対応付けて情報格納部７４に格納される。
【００７３】
この場合において、撮像装置１５０は、ノートＰＣ１６０を撮像して画像データを生成する。画像データを取得した情報抽出部７０は、パターン認識を行い、画像データに含まれるノートＰＣ１６０の画像データを抽出する。情報抽出部７０は、ノートＰＣ１６０の画像データを情報特定部７２に出力する。情報特定部７２は、取得したノートＰＣ１６０の画像データと、情報格納部７４に格納されている、スマートフォン１７０の画像データと、ノートＰＣ１６０の画像データとを照合する。情報特定部７２は、取得したノートＰＣ１６０の画像データと一致するノートＰＣ１６０の画像データを特定し、ノートＰＣ１６０の画像データに対応つけて格納されているメールアドレスを抽出する。なお、画像データの照合において、取得した画像データと一致するノートＰＣ１６０の画像データとしたが、上記一致とは完全一致だけでなく部分一致であってもよい。
【００７４】
情報特定部７２は、情報出力部７６を介して、設定部７８にメールアドレスを出力する。設定部７８は、システム制御部６０に、メールアドレスを出力して、撮像部１２にて撮像されて生成された画像データの送付先に当該メールアドレスを設定させる。これにより、撮像部１２にて撮像された画像データを、スマートフォン１７０には送信せずに、ノートＰＣ１６０に送信できる。なお、図１５に示した例において、ＩＣタグを設けた例を示したが、ＡＲ（ＡＵＧＭＥＮＴＥＤ  Ｒｅａｌｉｔｙ）タグまたはボコード等を用いてもよい。また、撮像装置１５０は、撮像して生成した画像データをノートＰＣ１６０に送信する例を示したが、ノートＰＣ１６０の表示画面１６４に、例えば、何らかのソーシャルメディアが表示されている場合に、撮像装置１５０は、当該表示画面１６４を撮像することによって、表示画面１６４に表示されたソーシャルメディアに撮像した画像データをアップロードさせてもよい。そして、その場合におけるアップロード方法も、ＩＣタグから送信されてよい。
【００７５】
図１６（ａ）は、他の実施形態に係るリモコン装置１８０の上面斜視図と空調装置１８４を示す。また、図１６（ｂ）は、リモコン装置１８０の下面斜視図を示す。図１６（ａ）において、リモコン装置１８０は、書面１９０に記載された文字１９２を含む撮像領域１９４を、撮像部１８２を用いて撮像して画像データを生成する。図１６（ａ）に示した例において、書面１９０には、文字１９２として「Ｔ＝２５」が記載されている。リモコン装置１８０は、画像データを光学文字認識して、文字１９２として「Ｔ＝２５」を抽出する。リモコン装置１８０には、文字「Ｔ」に対応付けて「温度を２５℃に設定する」という設定情報で格納されている。リモコン装置１８０は、「温度を２５℃に設定する」という設定情報を読み出して、空調装置１８４に出力する。空調装置１８４は、当該設定情報を取得すると、空調装置１８４の温度設定を２５℃に設定する。
【００７６】
図１７は、リモコン装置１８０のシステム構成図を示す。図１７において、図２と同じ要素には共通の参照番号を付して重複する説明を省略する。解析部１８８の処理において、情報特定部７２が設定情報を特定する処理までは、撮像装置１０で説明した処理と同じである。情報特定部７２により特定された設定情報は、情報出力部７６に出力される。そして情報出力部７６は、空調装置１８４に設定情報を出力して、空調装置の設定を変更する。
【００７７】
本実施形態において、電子機器として撮像装置および撮像部を有するリモコン装置を用いた例を示した。しかし、電子機器はこれらに限られず、撮像部を有する携帯電話、スマートフォン、タブレット端末、ノートＰＣであってもよい。そして、これら電子機器は、撮像部を用いて設定条件を記した書面を撮像して、電子機器の設定条件を設定できる。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８０】
１０、１４０、１５０  撮像装置、１２  撮像部、１４、１８８  解析部、２０、９０、１２０、１３０、１９０  書面、２１  雑誌、２２、９２、１９２  文字、２３  撮像領域、２４、９４  記号、２５  写真、２６、２７  四角枠、２８  矢印、２９  記事、３０  レンズユニット、３２  ズームレンズ、３４  フォーカスレンズ、３６  光軸、３８  撮像素子、４０  Ａ／Ｄ変換器、４２  メモリ制御部、４４  タイミング発生部、４６  内部メモリ、４８  画像処理部、５０  記録媒体ＩＦ、５２  記録部、５４  表示制御部、５６  Ｄ／Ａ変換器  ５８  表示部、６０  システム制御部、６２  システムメモリ、６４  ズーム制御部、６６  フォーカス制御部、６８  入力部、７０  情報抽出部、７２  情報特定部、７４  情報格納部、７６  情報出力部、７８  設定部、８０、８２  撮像条件データベース、１００、１１０  画像、１０２  人物、１０４  山、１０６、１０８  領域、１１２  果物の盛り合わせ、１２２、１３２、１４４  絞り解放形状、１２４、１４６  絞り変更形状、１３４  星形状、１４２  タッチパネル、１６０  ノートＰＣ、１６２、１７２  ＩＣタグ、１６４  表示画面、１７０  スマートフォン、１８０  リモコン装置、１８２  撮像部、１８４  空調装置、１９４  撮像領域、２００  ユーザ
【図１】
2015154359.tif 000003
【図２】
2015154359.tif 000004
【図３】
2015154359.tif 000005
【図４】
2015154359.tif 000006
【図５】
2015154359.tif 000007
【図６】
2015154359.tif 000008
【図７】
2015154359.tif 000009
【図８】
2015154359.tif 000010
【図９】
2015154359.tif 000011
【図１０】
2015154359.tif 000012
【図１１】
2015154359.tif 000013
【図１２】
2015154359.tif 000014
【図１３】
2015154359.tif 000015
【図１４】
2015154359.tif 000016
【図１５】
2015154359.tif 000017
【図１６】
2015154359.tif 000018
【図１７】
2015154359.tif 000019